(57)【特許請求の範囲】
【請求項１】
使用者が乗馬姿勢で着座することのできる鞍型湾曲面を上部に有した座席部と、座席部に揺動運動を行わせる駆動装置とを備えるバランス訓練装置において、前記座席部を、使用者が椅子への腰掛け姿勢で着座することのできる着座面を上部に有した座面部と、座面部に折畳自在に備えられて座面部上を開閉するものであるとともに開状態での前部に背もたれ面を有して閉状態での上部に上記鞍型湾曲面を有して成る背もたれ部とで形成し、上記座席部の背もたれ部の側部に接続されるあぶみ支持部と、あぶみ支持部の先端に設けられたあぶみ足載せ部とを備えるとともに、あぶみ支持部に対してあぶみ足載せ部を前後に回動自在に接続して、あぶみ支持部とあぶみ足載せ部との長手方向が一致する柱状で肘掛として用いられる状態と、あぶみ支持部とあぶみ足載せ部とが略Ｌ字状をなすとともにあぶみ足載せ部の一面が足載せ用の面となる状態とを得られるものとしていることを特徴とするバランス訓練装置。
【発明の詳細な説明】
【技術分野】
【０００１】
本発明は、人が着座した状態で揺動運動を行わせて身体のバランス機能や運動機能を訓練する為に用いるバランス訓練装置に関する。
【背景技術】
【０００２】
従来から、使用者が着座する座席部と、座席部を揺動駆動させる駆動部とを備え、着座状態の使用者に揺動運動を与えることで身体のバランス機能や運動機能の訓練を行うバランス訓練装置が提案されてきた。
【０００３】
図４に示すものは、座席部２を鞍型として使用者に騎乗時と似た乗馬運動を行わせるものにおいて、背もたれを有する通常の椅子としても使用することができるようにしたもので、通常の椅子と同様の着座面３ａを上部に有した座面部３と、一方の側に鞍型湾曲面４ａを有するとともにその反対側に背もたれ面４ｂを有して前記座面部３の後端部にて折畳自在に接続されて備えられる背もたれ部４とで、鞍型の座席部２を構成しており、前記座席部２全体を、その下方に備えた箱型の支持台６で支持したものである。また、支持台６の内部には駆動装置（図示せず）を配置させ、支持台６の左右両側面にはあぶみ５を夫々垂設させている。
【０００４】
図４（ａ）に示すように背もたれ部４を倒して座面部３上を閉じた状態としたエクサモードにあっては、背もたれ部４の鞍型湾曲面４ａは上部に位置することとなり、鞍型湾曲面４ａ上に使用者が騎乗姿勢でまたがるとともに両端のあぶみ５に夫々足を踏みかけて、この状態で支持台６内の駆動装置により座席部２全体を前後左右方向に揺動駆動させることで、使用者は乗馬運動によるバランス訓練を室内等で容易に行うことができる。
【０００５】
また、図４（ｂ）に示すように背もたれ部４を起こして座面部３上を開いた状態とした椅子モードにあっては、座面部３の着座面３ａ上に着座した使用者が、この状態で背もたれ部４の前部に位置する背もたれ面４ｂに背中を当てる等して、通常の椅子として使用することが可能となる。
【０００６】
ここにおけるあぶみ５は、支持台６の側面に常時露出していることから、椅子としての使用時には違和感のある存在となる。
【発明の開示】
【発明が解決しようとする課題】
【０００７】
本発明は室内に設置するものとしてあぶみが違和感を呈することがないバランス訓練装置を提供することを課題とするものである。
【課題を解決するための手段】
【０００８】
上記課題を解決するために本発明に係るバランス訓練装置は、使用者が乗馬姿勢で着座することのできる鞍型湾曲面を上部に有した座席部と、座席部に揺動運動を行わせる駆動装置とを備えるバランス訓練装置において、前記座席部を、使用者が椅子への腰掛け姿勢で着座することのできる着座面を上部に有した座面部と、座面部に折畳自在に備えられて座面部上を開閉するものであるとともに開状態での前部に背もたれ面を有して閉状態での上部に上記鞍型湾曲面を有して成る背もたれ部とで形成し、上記座席部の背もたれ部の側部に接続されるあぶみ支持部と、あぶみ支持部の先端に設けられたあぶみ足載せ部とを備えるとともに、あぶみ支持部に対してあぶみ足載せ部を前後に回動自在に接続して、あぶみ支持部とあぶみ足載せ部との長手方向が一致する柱状で肘掛として用いられる状態と、あぶみ支持部とあぶみ足載せ部とが略Ｌ字状をなすとともにあぶみ足載せ部の一面が足載せ用の面となる状態とを得られるものとしていることに特徴を有している。
【発明の効果】
【０００９】
本発明においては、下方に突出させたあぶみ支持部に対してあぶみ足載せ部を前後に回動させて全体を略Ｌ字状とし、あぶみ足載せ部の上面に足を載せることで、あぶみとして使用することができる。また、あぶみ支持部とあぶみ足載せ台の長手方向が一致するようにすることで、椅子とした際の肘掛として用いられるようにしているためにあぶみとしての存在感がない状態を得ることができる。
【発明を実施するための最良の形態】
【００１０】
以下、本発明を添付図面に示す実施の形態に基づいて説明する。図には、本発明の実施の形態における一例のバランス訓練装置１を示しているが、本例のバランス訓練装置１は従来例として説明したものと同様の構成を備えた部分があるので、その部分については説明を省略する。
【００１１】
まず、図２（ｂ）に基づいて椅子モードにある本例のバランス訓練装置１について説明を行う。支持台６上に支持される座面部３には、足載せ部７がその後端部を座面部３の前端部に折畳自在に接続させて備えられており、この状態において足載せ部７はその上部に形成される足載せ面７ａが座面部３の着座面３ａと略平行になるような位置で保持されている。
【００１２】
また、背もたれ部４の左右両側部には、肘掛部８がその後端部を折畳自在に接続させて前方に突出するように支持されて夫々備えられている。また、背もたれ部４の上端部には、ヘッドレスト部９がその下端部を折畳自在に接続させて備えられており、この状態においてヘッドレスト部９はその前部に形成されるヘッドレスト面９ａが背もたれ部４の背もたれ面４ａと略平行になるような位置で保持されている。
【００１３】
従って、椅子モードにおいて使用者は座面部３の着座面３ａ上に腰を置き、両足を足載せ部７の足載せ面７ａ上に載せて前方に伸ばし、両肘を肘掛部８上に掛け、後頭部をヘッドレスト部９のヘッドレスト面９ａ上にもたれ掛けさせることで、リラックスした姿勢を保持することができる。
【００１４】
次に、エクサモードにあるバランス訓練装置１について説明を行う。既述した椅子モードから図２（ａ）に示すエクサモードに移行させる為には、ヘッドレスト部９をヘッドレスト面９ａが背もたれ部４の背もたれ面４ａと当接する程度まで前方に倒して折り畳んだ後に、背もたれ部４を背もたれ面４ａが座面部３の着座面３ａと当接する程度まで前方に倒して折り畳む。更に、上記のように折り畳んだ背もたれ部４の前面と足載せ面７ａが当接する程度まで足載せ部７を起こせば、このように略垂直な状態に折り畳まれた足載せ部７と、座面部３と、背もたれ部４とが一体となって鞍型の座席部２が形成される。
【００１５】
また、肘掛部８についても椅子モードの状態から支持部を中心に略１８０度回転させて折り畳むことでエクサモードにて使用者の邪魔にならない位置に保持しておくことができる。
【００１６】
上記のようにして各部材を折り畳んだ状態で、背もたれ部４の上部に位置することとなった鞍型湾曲面４ａにまたがって座席部２の適宜個所を掴る等した姿勢を保ちながら、支持台６内の駆動装置を起動させて座席部２に前後左右の揺動運動を行わせれば、使用者は乗馬運動によるバランス訓練を行うことができる。
【００１７】
エクサモードから椅子モードに移行する場合には、上記した椅子モードからエクサモードへの移行と逆の手順をとれば良い。つまり、上記した本例のバランス訓練装置１は、各部材の折り畳みによりエクサモードと椅子モードを自在に選択することができるとともに、椅子モードとしたときに良好なリラックス感を得ることのできるものである。
【００１８】
また、上記肘掛部８は、図１及び図３に示すように、背もたれ部４の側部に一端を接続されるあぶみ支持部１１と、該あぶみ支持部１１の他端に前後に回動自在に支持されて備えられるあぶみ足載せ部１２とで形成されている。
【００１９】
従って、椅子モードにあるときは、あぶみ支持部１１とあぶみ足載せ部１２との長手方向を一致させることで柱状の肘掛部８として保持することができ、エクサモードにあるときは、あぶみ支持部１１を下方に突出させるとともに足載せ部１２を約９０度後方に回動させることで略Ｌ字状に保持する。この時、足載せ部１２の上面に足を載せることができるために、あぶみ足載せ部１２をあぶみとして利用することができる。
【図面の簡単な説明】
【００２０】
【図１】本発明の実施の形態における一例のエキサモードの概略側面図である。
【図２】同上の概略斜視図であり、（ａ）はエクサモード、（ｂ）は椅子モードを示している。
【図３】同上のエキサモードの概略斜視図である。
【図４】従来のバランス訓練装置の概略斜視図であり、（ａ）はエクサモード、（ｂ）は椅子モードを示している。
【符号の説明】
【００２１】
１ バランス訓練装置
２ 座席部
８ 肘掛部
１１ あぶみ支持部
１２ あぶみ足載せ部
【図１】
0004488003.tif 000002
【図２】
0004488003.tif 000003
【図３】
0004488003.tif 000004
【図４】
0004488003.tif 000005